(57)【要約】【課題】スローモーション動画像データと静止画像データとを違和感なく連続再生することが可能な撮像装置を提供する。【解決手段】撮像素子からの撮像信号に基づく複数のフレーム画像を第１フレームレートで順次記憶する記憶部と、記憶部に記憶された複数のフレーム画像のうち、少なくとも１つのフレーム画像から、少なくとも１つの静止画像データを作成する静止画像データ作成部と、少なくとも１つのフレーム画像が撮像された撮像時刻を含む所定の長さの期間を選択する期間選択部と、期間選択部により選択された期間に記憶部に記憶された複数のフレーム画像に基づいて、第１フレームレートより少ない第２フレームレートで再生されるスローモーション動画像データを作成する動画像データ作成部と、スローモーション動画像データ及び静止画像データを、互いに関連付けて記録媒体に記録する記録制御部と、を備える撮像装置。【選択図】図１
2014120926.tif 000002
【特許請求の範囲】
【請求項１】
被写体からの光を撮像する撮像素子からの撮像信号に基づく複数のフレーム画像を、単位時間に記憶される前記フレーム画像の数を示す第１フレームレートで順次記憶する記憶部と、
前記記憶部に記憶された前記複数のフレーム画像のうち、少なくとも１つのフレーム画像から、少なくとも１つの静止画像データを作成する静止画像データ作成部と、
前記少なくとも１つのフレーム画像が撮像された撮像時刻を含む所定の長さの期間を選択する期間選択部と、
前記期間選択部により選択された期間に前記記憶部に記憶された複数のフレーム画像に基づいて、前記第１フレームレートより少ない第２フレームレートで再生されるスローモーション動画像データを作成する動画像データ作成部と、
前記動画像データ作成部により作成された前記スローモーション動画像データ及び前記静止画像データ作成部により作成された前記静止画像データを、互いに関連付けて記録媒体に記録する記録制御部と、
を備えることを特徴とする撮像装置。
【請求項２】
請求項１に記載の撮像装置において、
前記記憶部に記憶された前記複数のフレーム画像のうち、少なくとも１つのフレーム画像を解析し、当該フレーム画像に含まれる被写体像の特性を判別する被写体判別部を備え、
前記期間選択部は、前記被写体判別部により判別された前記被写体像の特性に基づいて、前記期間を選択することを特徴とする撮像装置。
【請求項３】
請求項２に記載の撮像装置において、
前記被写体判別部は、前記記憶部に記憶された前記複数のフレーム画像から被写体の動きの大きさを解析し、被写体の動きが所定量未満の場合には、前記撮像時刻より前の時刻を先頭とし、前記撮像時刻より後の時刻を末尾とする前記期間を選択することを特徴とする撮像装置。
【請求項４】
請求項２または３に記載の撮像装置において、
前記被写体判別部は、前記記憶部に記憶された前記複数のフレーム画像から被写体の動きの大きさを解析し、被写体の動きが所定量以上の場合には、前記撮像時刻を末尾とする前記期間を選択することを特徴とする撮像装置。
【請求項５】
請求項４に記載の撮像装置において、
前記被写体判別部は、前記記憶部に記憶された前記複数のフレーム画像から被写体の動きの大きさを解析し、被写体の動きが所定量以上であり且つその動きが繰り返されている場合には、前記撮像時刻より前の時刻を先頭とし、前記撮像時刻より後の時刻を末尾とする前記期間を選択することを特徴とする撮像装置。
【発明の詳細な説明】
【技術分野】
【０００１】
本発明は、撮像装置に関する。
【背景技術】
【０００２】
従来、静止画像データと動画像データを作成可能な撮像装置が知られている。例えば特許文献１に記載されている電子カメラは、撮像素子からの撮像信号に基づく複数のフレーム画像を順次記憶し、所定時間の間に記憶された複数のフレーム画像に基づいてスローモーション動画像データを作成すると共に、それら複数のフレーム画像のうちの少なくとも１つのフレーム画像に基づいて、少なくとも１つの静止画像データを作成する。そして、スローモーション動画像データ及び静止画像データを、互いに関連付けて記憶媒体に記録する。
【先行技術文献】
【特許文献】
【０００３】
【特許文献１】特開２０１１−２５０００４号公報
【発明の概要】
【発明が解決しようとする課題】
【０００４】
特許文献１に記載の電子カメラは、スローモーション動画像データの時間軸における静止画像データの位置が固定されているため、スローモーション動画像データと静止画像データとを連続して再生する際に、鑑賞者に違和感を覚えさせる場合があった。
【課題を解決するための手段】
【０００５】
請求項１に記載の撮像装置は、被写体からの光を撮像する撮像素子からの撮像信号に基づく複数のフレーム画像を順次記憶する記憶部と、前記記憶部に記憶された前記複数のフレーム画像のうち、少なくとも１つのフレーム画像から、少なくとも１つの静止画像データを作成する静止画像データ作成部と、前記少なくとも１つのフレーム画像が撮像された撮像時刻を含む所定の長さの期間を選択する期間選択部と、前記期間選択部により選択された期間に前記記憶部に記憶された複数のフレーム画像に基づいて、前記記憶部に単位時間に記憶される前記フレーム画像の数を示す第１フレームレートより少ない第２フレームレートで再生されるスローモーション動画像データを作成する動画像データ作成部と、前記動画像データ作成部により作成された前記スローモーション動画像データ及び前記静止画像データ作成部により作成された前記静止画像データを、互いに関連付けて記録媒体に記録する記録制御部と、を備えることを特徴とする。
【発明の効果】
【０００６】
本発明によれば、スローモーション動画像データと静止画像データとを違和感なく連続再生することができる。
【図面の簡単な説明】
【０００７】
【図１】第１の実施の形態に係る電子カメラ２のシステム構成を示すブロック図である。
【図２】バッファメモリ８によるフレーム画像の記憶方式を示す図である。
【図３】スローモーション動画像撮影モードにより記録されるスロー動画像データおよび静止画像データを模式的に示す図である。
【図４】制御部４により実行されるスローモーション動画像撮影処理のフローチャートである。
【発明を実施するための形態】
【０００８】
（第１の実施の形態）
図１は、第１の実施の形態に係る電子カメラ２のシステム構成を示すブロック図である。電子カメラ２は、マイクロプロセッサおよびその周辺回路等により構成される制御部４を備える。制御部４は、不図示のメモリに予め格納されている制御プログラムを読み出して実行することにより、電子カメラ２の各部を制御する。制御部４には、撮像素子６、バッファメモリ８、記録媒体１０、表示部１２、操作部１４、および検出部１６が接続されている。
【０００９】
撮像素子６は、ＣＣＤまたはＣＭＯＳ等により構成され、図示しない撮影レンズを介した被写体からの光を撮像する。制御部４は、撮像素子６から出力され、図示しないＡ／Ｄコンバータを介すことによりアナログ信号からデジタル信号に変換された撮像信号に対して種々の画像処理を施すことにより、被写体像の画像データを作成する。
【００１０】
バッファメモリ８には、撮像素子６からの撮像信号に基づき作成された画像データが一時的に記憶される。特に、電子カメラ２が例えばスローモーション動画像（後述する。以下、スロー動画像という）を撮影するスローモーション動画像撮影モード等に設定されている場合には、バッファメモリ８は、撮像素子６から所定時間（例えば６０分の１秒）ごとに出力される撮像信号に基づく複数の画像データ、即ちスロー動画像を構成する複数のフレーム画像を順次記憶する。バッファメモリ８に記憶されるフレーム画像は、ＨＤＴＶ（高精細度テレビジョン：Ｈｉｇｈ  Ｄｅｆｉｎｉｔｉｏｎ  Ｔｅｌｅｖｉｓｉｏｎ）規格以上（１２８０×７２０ピクセル以上）の画素数を有する。
【００１１】
図２は、バッファメモリ８によるフレーム画像の記憶方式を示す図である。バッファメモリ８には、最大ｎ枚のフレーム画像が、ＦＩＦＯ（Ｆｉｒｓｔ  Ｉｎ  Ｆｉｒｓｔ  Ｏｕｔ；先入れ先出し）方式で順次記憶される。具体的には、図２に示すように、制御部４は、１番目に取得したフレーム画像Ｆ１、２番目に取得したフレーム画像Ｆ２、…、ｎ番目に取得したフレーム画像Ｆｎを、バッファメモリ８に順次記憶させる。そして、ｎ枚のフレーム画像Ｆ１〜Ｆｎを記憶した後、次のフレーム画像Ｆｎ＋１を作成すると、制御部４はバッファメモリ８内から最古のフレーム画像Ｆ１を削除し、最新のフレーム画像Ｆｎ＋１を記憶させる。これ以降、次のフレーム画像が作成される度に、制御部４は、最古のフレーム画像を削除し、最新のフレーム画像を記憶させる。
【００１２】
記録媒体１０は、電子カメラ２に設けられたカードスロット（図示せず）に着脱可能に装着される可搬性を有する記録媒体であり、例えば、コンパクトフラッシュ（登録商標）、ＳＤカード、スマートメディア（登録商標）等が用いられる。制御部４は、記録媒体１０に、バッファメモリ８に記憶されているフレーム画像に基づいて作成した動画像データやスロー動画像データを記録する。制御部４は、複数のフレーム画像に、動画像用の画素数への画像縮小処理、動画像用の画像処理、及び動画像用の圧縮処理等を施すことにより、動画像データやスロー動画像データを作成する。制御部４はこの他に、バッファメモリ８に記憶されているフレーム画像に基づいて作成した静止画像データや、撮影に関する情報等、種々のデータを記録媒体１０に記録する。制御部４は、フレーム画像に静止画像用の画像処理、静止画像用の圧縮処理等を施すことにより、静止画像データを作成する。
【００１３】
表示部１２は、ＬＣＤ等の表示素子を有する表示装置であり、例えば電子カメラ２の背面部に配置されるモニタや電子ビューファインダー（ＥＶＦ）等である。制御部４は、表示部１２に、撮像素子６からの撮像信号に基づくスルー画像、記録媒体１０に記録されている動画像データに基づく動画像、スローモーション動画像データ（以下、スロー動画像データという。）に基づくスロー動画像、静止画像データに基づく静止画像、および撮影に関する情報等を表示させる。操作部１４は、電子カメラ２の電源をオン／オフする電源スイッチ、動画像を撮影する動画像撮影モードやスロー動画像を撮影するスローモーション動画像撮影モード等の撮影モードを設定するためのコマンドダイヤル、動画像や静止画像の撮影開始等を指示するためのレリーズボタン、表示部１２にメニュー等を表示させるためのメニューボタン、メニュー項目等の選択や様々な設定時に操作される十字キー、メニュー項目等の選択や様々な設定に対する確定操作を行うためのＯＫボタン等を含んで構成されている。
【００１４】
（スローモーション動画像撮影モードの説明）
本実施形態の電子カメラ２は、動作モードの１つとして、スローモーション動画像撮影モードを有している。スローモーション動画像撮影モードは、撮像素子６から出力され、バッファメモリ８に単位時間に記憶されるフレーム画像の数を示す第１フレームレートより少ない第２フレームレートで再生されるスロー動画像データを作成し、かつ当該スロー動画像データを形成する複数のフレーム画像の少なくとも１つのフレーム画像に基づく静止画像データを作成し、作成されたスロー動画像データ及び静止画像データを互いに関連付けて記録媒体１０に記録するモードである。以下、このモードについて詳述する。
【００１５】
例えば、第１フレームレートが６０ｆｐｓ、第２フレームレートがそれより少ない２４ｆｐｓの場合を考える。このとき、撮像素子６は被写体を毎秒６０回撮影し、制御部４は毎秒６０枚のフレーム画像をバッファメモリ８に記憶する。これを１０秒間継続すれば、合計で６００枚のフレーム画像が記憶されることになる。この６００枚のフレーム画像は、被写体の１０秒間の動きを６０分の１秒ごとに撮影したものである。この６００枚のフレーム画像を、６０ｆｐｓより少ない２４ｆｐｓで再生すれば、被写体の１０秒間の動きを２５秒間に引き延ばしたスロー映像を再生することができる。制御部４は以上のように、撮影時のフレームレート（第１フレームレート）より少ないフレームレート（第２フレームレート）で再生されるスロー動画像データを作成する。
【００１６】
制御部４が作成可能なスロー動画像データの最大長は、バッファメモリ８に記憶可能な最大フレーム画像数ｎにより規定される。例えば第１フレームレートを６０ｆｐｓ、第２フレームレートを２４ｆｐｓ、記憶可能な最大フレーム画像数ｎを３６００枚とすれば、最大記憶秒数は６０秒となり、作成されるスロー動画像データの最大長（再生時換算）は１５０秒となる。制御部４は、この最大長以下であればどのような長さのスロー動画像データを作成することもできるが、以下では説明を簡単にするため、ある特定の長さのスロー動画像データを作成するものとし、この長さ（秒数）を撮影時間Ｔと称する。
【００１７】
図３は、スローモーション動画像撮影モードにより記録されるスロー動画像データおよび静止画像データを模式的に示す図である。スロー動画像の撮影中、バッファメモリ８には、撮影時間Ｔに相当する枚数のフレーム画像が、新たなフレーム画像により随時更新されながら保持される（撮影開始直後はより少ない枚数のフレーム画像しか記憶されていないが、説明を簡単にするためここでは考えない）。ユーザが時刻Ｔｓにおいてシャッターボタンの全押し操作を行うと、制御部４はポストキャプチャー時間Ｔｐだけ待った後に撮影を終了する。そして、バッファメモリ８に記憶されている複数のフレーム画像Ｆａ〜Ｆｂからスロー動画像データを作成すると共に、時刻Ｔｓに作成されたフレーム画像Ｆｓから静止画像データを作成する。
【００１８】
つまり、ユーザが静止画像データを撮影したいタイミングを指示すると、制御部４はその静止画像データの前後の期間を含むスロー動画像データも作成し、静止画像データに関連付けて記憶する。静止画像データとスロー動画像データとの時間関係は、上述したポストキャプチャー時間Ｔｐがどれだけの長さであるかにより決まる。例えばポストキャプチャー時間Ｔｐが０秒であれば、静止画像データはスロー動画像データのちょうど末尾のフレームと一致する。また、ポストキャプチャー時間Ｔｐが撮影時間Ｔの半分であれば、静止画像データはスロー動画像データのちょうど中央のフレームと一致する。制御部４によるポストキャプチャー時間Ｔｐの決定方法については後に詳述する。
【００１９】
図４は、制御部４により実行されるスローモーション動画像撮影処理のフローチャートである。スローモーション動画像撮影処理は、制御部４が実行する制御プログラムに含まれる処理である。ユーザーがコマンドダイヤルを操作することによりスローモーション動画像撮影モードを設定すると、制御部４は、スローモーション動画像及び該スローモーション動画像に関連する静止画像を撮影するためのスローモーション動画像モードに移行する。そして、図３に示すスローモーション動画像撮影処理の実行を開始する。スローモーション動画像撮影処理の実行中、表示部１２には制御部４によって、撮像素子６の出力に基づくスルー画像が継続的に表示される。
【００２０】
制御部４は、まずステップＳ１０において、ユーザーによりレリーズボタンが半押しされたか否かを判定する。ステップＳ１０においてレリーズボタンが半押しされたと判定した場合には、制御部４は、静止画像データの作成の準備の指示、及びスロー動画像データの作成の指示がなされたと判断し、ステップＳ２０に進む。制御部４はステップＳ２０において、周知の自動露出調節（ＡＥ）制御および自動焦点調節（ＡＦ）制御を実行する。すなわち、測光結果やユーザ設定に応じて絞り、シャッタースピード、感度等を適切に調節し、その後、不図示のフォーカスレンズ等を駆動させることにより、主要被写体に対してピントを合わせる。
【００２１】
ステップＳ２０においてＡＥ制御およびＡＦ制御が完了すると、ステップＳ３０に進み、制御部４はスロー動画像の撮影、即ちバッファメモリ８へのバッファリングを開始する。ステップＳ３０において制御部４が実行する処理を具体的に説明すると、上述したように、撮像素子６から動画像サイクルに同期して出力される撮像信号に基づく複数のフレーム画像Ｆ１、Ｆ２、…、Ｆｎ、…（図２参照）の、バッファメモリ８への記憶を開始する。前述の通り、バッファメモリ８には最大ｎ枚のフレーム画像が記憶される。制御部４は、ｎ枚のフレーム画像が記憶されているときに新たなフレーム画像を作成した場合には、バッファメモリ８内の最古のフレーム画像を削除し、作成したフレーム画像（最新のフレーム画像）をバッファメモリ８に記憶する。
【００２２】
スロー動画像の撮影開始後、制御部４は、ステップＳ４０〜Ｓ７０の処理を繰り返し実行する。ステップＳ４０で制御部４は、バッファメモリ８に記憶されているフレーム画像を周知の画像解析アルゴリズムにより解析し、明るさ、カメラからの距離、形状、色等の被写体の特性を判定する。最新のフレーム画像１枚だけを対象にこの解析を行ってもよいし、新しい順に複数枚（例えば２枚）のフレーム画像を選択して解析の対象としてもよい。複数枚のフレーム画像を解析の対象とすることで、被写体の時間変化（例えば被写体の移動等）を解析することが可能である。
【００２３】
被写体の特性の解析に成功した場合には、制御部４はステップＳ５０に進み、ステップＳ４０で解析された被写体の特性に関する情報をバッファメモリ８に更新記憶する。そして、ステップＳ６０で、被写体の特性に応じたポストキャプチャー時間Ｔｐを設定し、ステップＳ７０に進む。被写体の特性ごとのポストキャプチャー時間Ｔｐについては後に詳述する。他方、ステップＳ４０で被写体の特性を解析できなかった場合、制御部４はステップＳ５０、Ｓ６０の処理を実行せずにステップＳ７０に進む。
【００２４】
次のステップＳ７０において制御部４は、バッファメモリ８内に撮影時間Ｔ相当の枚数のフレーム画像が記憶されているときに、ユーザーによりレリーズボタンが全押しされたか否かを判定する。レリーズボタンが全押しされたと判定した場合には、制御部４は、静止画像データの作成を指示する静止画像撮影指示が入力されたと判断し、ステップＳ８０に進む。他方、レリーズボタンが全押しされていない場合には、ステップＳ４０に戻る。
【００２５】
ステップＳ８０で制御部４は、ポストキャプチャー時間Ｔｐが経過するのを待つ。ポストキャプチャー時間Ｔｐが０秒より大きい場合、ここでポストキャプチャー時間Ｔｐに相当する枚数の新たなフレーム画像がバッファメモリ８に記憶される。ポストキャプチャー時間Ｔｐが経過すると制御部４はステップＳ９０に進み、バッファメモリ８に記憶されている複数のフレーム画像に基づいて、スロー動画像データを作成する。制御部４は、撮像素子６から出力されるフレームレート（撮影フレームレート）と同等の第１フレームレート（例えば６０ｆｐｓ等）でバッファメモリ８に記憶されているフレーム画像を読み出し、制御部４内の縮小回路（不図示）により動画像用の解像度へのリサイズ（解像度大から小へ）処理、制御部４内の動画用信号処理回路（不図示）により動画像用の画像処理（動画用圧縮処理含む）を施すことにより、第１フレームレートより少ない第２フレームレート（例えば第１フレームレートの１／２．５である２４フレーム／秒等）で再生されるスロー動画像データを作成する。なお、第２フレームレートの値は、予め設定され、図示しないメモリ等に記憶されており、変更可能に構成されている。
【００２６】
次に制御部４はステップＳ１００に進み、静止画像データを作成する。制御部４は、静止画撮影指示の入力時Ｔｓにバッファメモリ８に記憶されたフレーム画像をバッファメモリ８から読み出す。そして、読み出されたフレーム画像に対して制御部４内の前述の動画用信号処理回路とは別に設けられている静止画用信号処理回路（不図示）により静止画像用の画像処理（静止画用圧縮処理を含む）を施すことにより静止画像データを作成する。なお、この実施の形態では、ＨＤＴＶ規格以上の画素数を有するフレーム画像、即ち高解像度のフレーム画像がバッファメモリ８に記憶されるため、高解像度の静止画像データを得ることができる。なお、作成される静止画像データの画素数は、作成されたスロー動画像データの画素数より多い。
【００２７】
次に制御部４はステップＳ１１０に進み、ステップＳ９０において作成したスロー動画像データと、ステップＳ１００において作成した静止画像データとを、互いに関連付けて（互いに関連していることを示す情報（撮影日時や識別番号等）を付加して）記録媒体１０に記録する。
【００２８】
（スロー動画像データおよび静止画像データの再生方法の説明）
ユーザーがコマンドダイヤルを操作することにより、電子カメラ２を再生モードに設定すると、制御部４は記録媒体１０に記録されている各スロー動画像データに対応するサムネイル画像を表示部１２に一覧表示する。なお、サムネイル画像はスロー動画像データではなく、そのスロー動画像データと関連付けられている静止画像データに基づいて表示してもよい。ユーザは操作部１４を操作して、一覧表示されたサムネイル画像からいずれか１つを選択する。いずれかのサムネイル画像が選択されると、制御部４はそのサムネイル画像に対応するスロー動画像データおよび当該スロー動画像データに関連付けられている静止画像データの再生を開始する。
【００２９】
制御部４は、まずスロー動画像データを表示部１２に再生する。そして、スロー動画像データの再生が終了すると、引き続き静止画像データを再生する。静止画像データを表示部１２に表示させた状態のまま所定時間（例えば４秒）が経過すると、制御部４は再びサムネイル画像を一覧表示し、サムネイル画像の選択ができるようにする。
【００３０】
以上のように、本実施形態では、制御部４はスロー動画像データと当該スロー動画像データに関連付けられている静止画像データとを連続的に再生する。
【００３１】
（被写体の特性に基づくポストキャプチャー時間Ｔｐの決定方法の説明）
本実施形態の制御部４は、被写体の明るさや色、動き、顔認識等に基づいて、被写体を（１）風景、（２）１人の人物、（３）多数の人物、（４）動体の４種類に分類する。つまり、図４のステップＳ４０では、制御部４は被写体がこれら４種類のどれに該当するかを判定し、いずれにも該当しないと判定した場合には被写体の特性の解析に失敗したものと見なしてステップＳ７０に進む。そして、ステップＳ５０では、制御部４は被写体の特性を表す情報として、被写体がこれら４種類のどれに該当するかを表す情報をバッファメモリ８に記憶する。
【００３２】
被写体が風景である場合、撮影したスロー動画像において、被写体は時間経過に伴う変化に乏しいと考えられる。従って、静止画像データがスロー動画像データの時系列の中間に位置していたとしても、連続再生を違和感なく行うことができる。そこで、制御部４は、連続する複数のフレーム画像から周知の方法により動きベクトルを演算し、この動きベクトルから、被写体の動きの大きさが所定量未満の場合には、被写体が風景であると判定する。そして、静止画像データがスロー動画像データ全体のちょうど真ん中のフレーム画像から作成されるように、ポストキャプチャー時間Ｔｐを設定する。つまり、ポストキャプチャー時間Ｔｐは撮影時間Ｔの略半分に設定される。なお、被写体が風景であるか否かの判定には、動きベクトルだけではなく、フレーム画像全体の明るさや色合い、コントラスト等を合わせて用いることもできる。
【００３３】
次に、被写体が人物である場合、被写体は時間経過に伴いある程度変化すると考えられる。従って、スロー動画像データと静止画像データとを連続再生する場合において、例えばスロー動画像データがＦａ〜Ｆｂフレームから作成され、静止画像データがＦａ〜Ｆｂの中間のＦｃフレームから作成されていた場合、Ｆｂフレームの次にＦｃフレームが表示されることになる。ところが、撮影時間Ｔの中央に位置するＦｃフレームから撮影時間Ｔの末尾に位置するＦｂフレームまでの時間で、被写体はある程度変化している可能性が高い。つまり、連続再生時に、表示内容がＦｂフレームからＦｃフレームに急に変化すると、ユーザが違和感を覚えてしまう。
【００３４】
そこで、本実施形態の制御部４は、周知の顔認識技術により被写体が１人の人物であると判定した場合、ポストキャプチャー時間Ｔｐを０秒に設定する。すなわち、スロー動画像データの最終フレームを静止画像データとする。これにより、スロー動画像データと静止画像データを連続再生しても、再生された被写体が急激に変化せず、ユーザは違和感なく再生画像を鑑賞することができる。
【００３５】
制御部４は、被写体が動体である場合、上述の１人の人物の場合と同様に、ポストキャプチャー時間Ｔｐを０秒に設定する。被写体が動体であるか否かの判定には、前述した動きベクトルを用いる。すなわち、制御部４は、動きベクトルから被写体の動きの大きさが所定量以上であるか否かを判定し、動きの大きさが所定量以上であった場合には被写体が動体であると判定する。
【００３６】
また、顔認識により多数の顔が認識された等の理由により、被写体が多数の人物であると判断された場合、制御部４はポストキャプチャー時間Ｔｐを撮影時間Ｔと略同等の値に設定する。これは、被写体が多数の人物であることから、集合写真を撮影しようとしていることが考えられるためである。
【００３７】
上述した第１の実施の形態による電子カメラによれば、次の作用効果が得られる。
（１）バッファメモリ８には、被写体からの光を撮像する撮像素子６からの撮像信号に基づく複数のフレーム画像が、第１フレームレートで順次記憶される。制御部４は、バッファメモリ８に記憶された複数のフレーム画像のうち、１つのフレーム画像から、１つの静止画像データを作成すると共に、そのフレーム画像が撮像された撮像時刻を含む長さＴの期間を選択し、その期間にバッファメモリ８に記憶された複数のフレーム画像に基づいて、第１フレームレートより少ない第２フレームレートで再生されるスローモーション動画像データを作成する。そして、作成したスローモーション動画像データ及び静止画像データを、互いに関連付けて記録媒体１０に記録する。このようにしたので、スローモーション動画像データと静止画像データとを、違和感なく連続再生することができる。
【００３８】
（２）制御部４は、バッファメモリ８に記憶された複数のフレーム画像を解析し、そのフレーム画像に含まれる被写体像の特性を判別する。そして、判別した被写体像の特性に基づいて、スローモーション動画像データの基となる期間を選択する。このようにしたので、違和感なく連続再生することが可能なスローモーション動画像データおよび静止画像データを自動的に作成することができる。
【００３９】
（３）制御部４は、バッファメモリ８に記憶された複数のフレーム画像から被写体の動きの大きさを解析し、被写体の動きが所定量未満の場合には、静止画像データの基となるフレーム画像の撮像時刻より前の時刻を先頭とし、その撮像時刻より後の時刻を末尾とする期間を選択する。このようにしたので、例えば風景など、大きく動かない被写体について、違和感なく連続再生することが可能なスローモーション動画像データおよび静止画像データを自動的に作成することができる。
【００４０】
（４）制御部４は、バッファメモリ８に記憶された複数のフレーム画像から被写体の動きの大きさを解析し、被写体の動きが所定量以上の場合には、静止画像データの基となるフレーム画像の撮像時刻を末尾とする期間を選択する。このようにしたので、例えば人物など、ある程度大きく動く被写体について、違和感なく連続再生することが可能なスローモーション動画像データおよび静止画像データを自動的に作成することができる。
【００４１】
次のような変形も本発明の範囲内であり、変形例の一つ、もしくは複数を上述の実施形態と組み合わせることも可能である。
【００４２】
（変形例１）
被写体が風景である場合のポストキャプチャー時間Ｔｐは、Ｔ／２以外に限定されない。０より大きく撮影時間Ｔより小さい任意の時間に設定しても、上述した効果を得ることができる。
【００４３】
また、制御部４により認識される被写体の特性は、上述した４種類に限定されない。これ以外の任意の被写体の特性を解析するようにしてもよい。例えば、動きのある被写体であっても、その動きが一定周期で繰り返されている場合には、撮影時間Ｔの末尾以外のフレーム画像から静止画像データが作成されるようにしてもよい。これは、被写体が同一の動きを繰り返しているのであれば、再生時の表示内容が突然変化しても違和感が少ないと考えられるためである。
【００４４】
（変形例２）
撮影時間Ｔやポストキャプチャー時間Ｔｐの設定を、ユーザが手動で設定できるようにしてもよい。ポストキャプチャー時間Ｔｐを直接入力させてもよいし、例えば「風景撮影モード」、「人物撮影モード」のように、撮影シーンを選択すると最適な撮影パラメータが設定される、いわゆるシーン選択機能を電子カメラ２に設け、選択されたシーンに応じたポストキャプチャー時間Ｔｐが設定されるようにしてもよい。また、ポストキャプチャー時間Ｔｐの経過後（例えば図４のステップＳ９０の直前）にメニュー画面等を表示し、スロー動画像データに含めるフレーム画像の範囲をユーザに選択させるようにしてもよい。更に、再生時に静止画像データが表示される時間についても、ユーザが手動で設定できるようにしてよい。
【００４５】
（変形例３）
スロー動画像データおよび静止画像データの再生順序は、後述した順序（スロー動画像データを再生後に静止画像データを再生する）に限定されない。例えば、静止画像データを再生してからスロー動画像データが再生されるようにしてもよい。あるいは、スロー動画像データを再生し、静止画像データを再生すると、再度スロー動画像データを再生するようにしてもよい。また、再生順序が被写体の特性により変化するようにしてもよい。このようにするためには、制御部４が、スロー動画像データおよび静止画像データの記録時に、どのように再生されるべきかを表す情報、または被写体特性情報を、それらのデータに関連付けて記録すればよい。例えば、被写体が多数の人物であることを表す被写体と区政情報がスロー動画像データに関連付けてられていた場合、制御部４が静止画像データを再生してからスロー動画像データを再生するようにしてもよい。
【００４６】
（変形例４）
上述の実施形態においては、レリーズボタンが全押しされたと判別されたときにバッファメモリ８に記憶された１つのフレーム画像に基づいて１つの静止画像データを作成したが、２つ以上のフレーム画像に基づいて２つ以上の静止画像データを作成してもよい。また、レリーズボタンが全押しされたと判別された前後にバッファメモリ８に記憶されたフレーム画像に基づいて静止画像データを作成してもよい。また、レリーズボタンの全押し時でないとき（例えば、レリーズボタンの全押し時でないときにベストショットが存在する場合等）にバッファメモリ８に記憶されたフレーム画像に基づいて静止画像データを作成してもよい。この場合には、例えば、バッファメモリ８に記憶されているフレーム画像を表示部１２に表示し、静止画像データとして記録する少なくとも１枚のフレーム画像をユーザーに選択させ、選択されたフレーム画像に基づいて静止画像データを作成する。
【００４７】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００４８】
２…電子カメラ、４…制御部、６…撮像素子、８…バッファメモリ、１０…記録媒体、１２…表示部、１４…操作部
【図１】
2014120926.tif 000003
【図２】
2014120926.tif 000004
【図３】
2014120926.tif 000005
【図４】
2014120926.tif 000006